(57)【要約】【課題】  項目をピン留めし、ピン留めされた項目を表示するための方法およびシステムを提供すること。【解決手段】  ピン留めされた項目は、関連するピン留めされていない項目と視覚的に区別可能でかつそれより高く優先順位付けするように表示される。例えば、ピン留めされた連絡先は連絡先リストの先頭に表示され、視覚的に他の連絡先と区別できる。項目が「ピン留め」されている連絡先であることを示す特殊なアイコンが使用される。ピン留めされた項目は、連絡先のコピーである。そのコピーによって、ユーザは最もよく通信し、使用する項目に速やかにアクセスできるようになり、またその項目に重要度が規定される。【選択図】  図４
2005222541.tif 000002
【特許請求の範囲】
【請求項１】
ピン留めする項目を選択するステップと、
ユーザによって選択された前記項目をピン留めするステップと、
関連するピン留めされていない項目と区別され、および該関連するピンニングされていない項目より高い優先順位とするように前記ピン留めされた項目を表示するステップと
を備えたことを特徴とする項目をピン留めし、および表示する方法。
【請求項２】
前記ピン留めされた項目を表示するステップは、前記項目がピン留めされていることを示す視覚的な標識を含めるステップを含むことを特徴とする請求項１に記載の方法。
【請求項３】
ピン留めするために選択された前記項目のコピーを作成するステップをさらに備えたことを特徴とする請求項１に記載の方法。
【請求項４】
前記ピン留めされた項目は、連絡先、フォルダ、ファイル、フィールド、アプリケーション、およびメッセージを含むグループから選択されることを特徴とする請求項１に記載の方法。
【請求項５】
前記関連するピン留めされていない項目と区別され、および関連するピン留めされていない項目より高い優先順位とするように前記ピンニングされた項目を表示するステップは、リストビューの先頭に前記ピン留めされた項目を表示するステップを含むことを特徴とする請求項１に記載の方法。
【請求項６】
カテゴリと関連付けられると、前記ピン留めされた項目をカテゴリビューで表示するステップをさらに備えたことを特徴とする請求項５に記載の方法。
【請求項７】
他のピン留めされた項目と相対的に場所を変更することができるように前記ピン留めされた項目を管理するステップをさらに備えたことを特徴とする請求項４に記載の方法。
【請求項８】
前記ピン留めされた項目を管理するステップは、ピン留めされた項目を削除するステップを含むことを特徴とする請求項７に記載の方法。
【請求項９】
前記ピン留めされた項目を削除する前記ステップは、ピン留めされていない項目リスト内に対応する項目を保持するステップを含むことを特徴とする請求項８に記載の方法。
【請求項１０】
項目を表示するように構成されたディスプレイと、
ユーザによって選択された項目をピン留めするステップ、ならびに
関連するピン留めされていない項目と区別され、および該関連するピン留めされていない項目より高い優先順位とするように前記ピン留めされた項目を表示するよう前記ディスプレイに命令するステップ
を実施するように構成された、ピン留めされた項目のアプリケーションと
を備えたことを特徴とする項目を表示するシステム。
【請求項１１】
前記ピン留めされた項目は、該ピン留めされた項目がピン留めされていることを示すアイコンを含むことを特徴とする請求項１０に記載のシステム。
【請求項１２】
前記ピン留めされた項目のアプリケーションは、ピン留めするために選択された前記項目のコピーを作成して、前記ピン留めされた項目として使用するように構成されたことを特徴とする請求項１０に記載のシステム。
【請求項１３】
前記ピン留めされた項目を表示するよう前記ディスプレイに命令する前記ステップは、現在表示されているカテゴリビューに関連付けられた場合に限り、前記ピン留めされた項目を表示するステップを含むことを特徴とする請求項１０に記載のシステム。
【請求項１４】
前記ピン留めされた項目のアプリケーションは、前記ピン留めされた項目を管理するように構成されたことを特徴とする請求項１０に記載のシステム。
【請求項１５】
前記ピン留めされた項目を管理するステップは、前記ピン留めされた項目リスト内の前記ピン留めされた項目を移動するステップを含むことを特徴とする請求項１３に記載のシステム。
【請求項１６】
前記ピン留めされた項目を管理するステップは、前記ピン留めされた項目の少なくとも１つを削除するステップを含むことを特徴とする請求項１４に記載のシステム。
【請求項１７】
ピン留めする項目を選択するステップと、
ユーザによって選択された前記項目をピン留めするステップと、
関連するピン留めされていない項目と区別され、および該関連するピン留めされていない項目より高い優先順位とするように前記ピン留めされた項目を表示するステップと
を備えたことを特徴とする項目を表示するためのコンピュータ読取り可能な媒体。
【請求項１８】
前記ピン留めされた項目を表示する前記ステップは、前記項目がピン留めされていることを示すアイコンを含めるステップを含むことを特徴とする請求項１７に記載のコンピュータ読取り可能な媒体。
【請求項１９】
ピン留めする連絡先項目のコピーを作成するステップをさらに備え、該コピーは前記ピン留めされた項目として用いられることを特徴とする請求項１７に記載のコンピュータ読取り可能な媒体。
【請求項２０】
前記ピン留めされた項目を表示するステップは、リストビューの先頭に前記ピン留めされた項目を表示するステップを含むことを特徴とする請求項１７に記載のコンピュータ読取り可能な媒体。
【発明の詳細な説明】
【技術分野】
【０００１】
本発明は、装置上で項目をピン留め（ｐｉｎｎｉｎｇ）し、ピン留めされた項目を表示する方法およびシステムに関する。
【背景技術】
【０００２】
ＰＤＡや携帯電話などにおける個人情報マネージャは、通常、連絡先のリストを保持している。これらの連絡先リストは、名前やジョブタイトル、会社名、ビジネスナンバ（ｂｕｓｉｎｅｓｓ  ｎｕｍｂｅｒ）、自宅の電話番号、ファックス番号、携帯電話番号、電子メール、ウェブページなどの項目を含めた各連絡先に関する情報を保管している。
【発明の開示】
【発明が解決しようとする課題】
【０００３】
この連絡先リストは非常に長くなり得る。例えば、一部の連絡先リストでは大企業の全社員を含むことができる。その連絡先リスト内で連絡先を容易に見つけられないこともあり得る。他の項目をコンピュータ上で突き止めることもまた困難となり得る。例えば、大きなファイルシステム内でフォルダを見つけることや、ファイル内のフィールドを突き止めることが難しくなる可能性がある。装置上で、重要な連絡先および項目に容易にアクセスするための方法が求められている。
【課題を解決するための手段】
【０００４】
本発明の一態様によると、ユーザは、自分にとって重要な項目を「ピン留め」する。ピン留めされた項目は、そのそれぞれのリストの先頭に表示される。例えば、ピン留めされた項目が連絡先であるとき、そのピン留めされた連絡先は、連絡先リストの先頭に表示される。ピン留めされた項目がフォルダであるとき、そのピン留めされたフォルダは、ピン留めされていないフォルダの前に表示される。同様に、ファイル内のフィールドがピン留めされたとき、ピン留めされた項目はピン留めされていない項目の前に表示される。項目と共に、それが「ピン留め」された連絡先であることを示しかつピン留めされていない項目と視覚的に区別する特殊なアイコンを配置することもできる。
【０００５】
本発明の他の態様によると、ピン留めされた項目は、ピン留めされていない項目と視覚的に区別することができる。ピン留めされた項目と共に、それが「ピン留め」されていることを示す特殊なアイコンを配置することができる。
【０００６】
本発明の他の態様によると、ピン留めされた項目は、その項目をコピーしたものである。例えば、ピン留めされた連絡先は、その連絡先のコピーである。コピーを用いると、ユーザが最もよく通信しかつ使用する項目に速やかにアクセスできるようになる。さらに、ピン留めされた項目をその各リストの先頭に表示することにより、その項目の重要度が規定される。
【発明を実施するための最良の形態】
【０００７】
本発明は、コア装置による通信の仕方を簡略化するために「ピン留め」された項目を規定することを対象とする。項目をピン留めすることにより、重要なまたはよく通信する連絡先および項目への速やかなアクセスを提供することができる。ユーザは、項目を「ピン留め」することによってその項目に重要度を割り当てることができる。ピン留めされた項目は、そのそれぞれのリストの先頭に表示される。
【０００８】
（例示的なオペレーティング環境）
図１を参照すると、本発明を実施するための例示的な１つのシステムは、コンピューティング装置１００などのコンピューティング装置を含む。非常に基本的な構成では、コンピューティング装置１００は、通常、少なくとも１つの処理装置１０２およびシステムメモリ１０４を含む。コンピューティング装置の正確な構成およびタイプに応じて、システムメモリ１０４は、揮発性（ＲＡＭなど）、不揮発性（ＲＯＭ、フラッシュメモリなど）、またはその２つの何らかの組合せとすることができる。システムメモリ１０４は、通常、オペレーティングシステム１０５、１つまたは複数のアプリケーション１０６を含み、またプログラムデータ１０７も含むことができる。一実施形態では、アプリケーション１０６は、ピン留めアプリケーション１２０を含むことができる。図１に、この基本構成を破線１０８内のコンポーネントによって示す。
【０００９】
コンピューティング装置１００は、追加の特徴または機能を有することができる。例えば、コンピューティング装置１００はまた、例えば、磁気ディスク、光ディスク、またはテープなどの（取外し可能および／または固定の）追加のデータ記憶装置を含むことができる。図１では、このような追加の記憶は、取外し可能な記憶１０９および固定の記憶１１０で示されている。コンピュータ記憶媒体は、コンピュータ読取り可能な命令、データ構造、プログラムモジュール、または他のデータなど、情報を記憶するための任意の方法または技法で実装された揮発性および不揮発性、取外し可能および固定の媒体を含むことができる。システムメモリ１０４、取外し可能な記憶１０９、および固定の記憶１１０は、すべてコンピュータ記憶媒体の実施例である。コンピュータ記憶媒体は、それだけに限らないが、ＲＡＭ、ＲＯＭ、ＥＥＰＲＯＭ、フラッシュメモリ、または他のメモリ技法、ＣＤ−ＲＯＭ、ＤＶＤ（ｄｉｇｉｔａｌ  ｖｅｒｓａｔｉｌｅ  ｄｉｓｋｓ）、または他の光記憶、磁気カセット、磁気テープ、磁気ディスク記憶、または他の磁気記憶装置、あるいは所望の情報を記憶するのに使用可能でありかつコンピューティング装置１００によってアクセスすることができる他の任意の媒体を含む。このようなコンピュータ記憶媒体はいずれも装置１００の一部分であることができる。コンピューティング装置１００はまた、キーボード、マウス、ペン、音声入力装置、タッチ入力装置などの入力装置１１２を有する。ディスプレイ、スピーカ、プリンタなどの出力装置１１４もまた、含めることができる。
【００１０】
コンピューティング装置１００はまた、装置がネットワークなどを介して他のコンピューティング装置１１８と通信できるようにする通信接続１１６を含むこともできる。通信接続１１６は、通信媒体の一実施例である。通信媒体は、通常、コンピュータ読取り可能な命令、データ構造、プログラムモジュール、または搬送波や他のトランスポート構造などの変調されたデータ信号における他のデータによって実施可能であり、また任意の情報送達媒体を含む。用語「変調されたデータ信号」とは、情報を信号中に符号化するなどの方式により、その１つまたは複数の特性が設定または変更された信号のことを意味する。例として、それだけに限らないが、通信媒体は、有線ネットワークや直接有線接続などの有線媒体、および音響やＲＦ、赤外線や他の無線媒体などの無線媒体を含む。本明細書で使用する用語のコンピュータ読取り可能な媒体は、記憶媒体と通信媒体を共に含む。
【００１１】
図２は、本発明の例示的な一実施形態に従って使用することができるモバイルコンピューティング装置を示す。モバイルコンピューティング装置２００は、プロセッサ２６０、メモリ２６２、ディスプレイ２２８、およびキーパッド２３２を含む。メモリ２６２は一般に、揮発性メモリ（例えば、ＲＡＭなど）、および不揮発性メモリ（例えば、ＲＯＭ、フラッシュメモリなど）を共に含む。モバイルコンピューティング装置２００は、Ｍｉｃｒｏｓｏｆｔ（登録商標）社のＷｉｎｄｏｗｓ（登録商標）ＣＥオペレーティングシステムや、他のオペレーティングシステムなどのオペレーティングシステム２６４を含み、それは、メモリ２６２中に常駐しプロセッサ２６０上で実行される。キーパッド２３２は、（典型的な電話などの）プッシュボタン式数字ダイアルパッド、（従来型のキーボードなどの）マルチキーのキーボードでよい。ディスプレイ２２８は、液晶ディスプレイ、またはモバイルコンピューティング装置中で通常使用される他の任意のタイプのディスプレイでよい。ディスプレイ２２８はタッチ検知とすることができ、その場合は入力装置としても働くことができる。
【００１２】
１つまたは複数のアプリケーションプログラム２６６がメモリ２６２にロードされ、オペレーティングシステム２６４上で走る。ピン留めアプリケーションは、モバイルコンピューティング装置２００上に常駐し、ピン留めされた連絡先オペレーションおよびピン留めされた項目オペレーションに関するオペレーションを提供するようプログラムされている。ピン留めアプリケーションは、装置のハードウェアまたはソフトウェア中に常駐することもできる。モバイルコンピューティング装置２００はまた、メモリ２６２内に不揮発性記憶２６８を含む。不揮発性記憶２６８は、モバイルコンピューティング装置２００の電源が遮断された場合、失われてはならない永続的な情報を記憶するために使用することができる。
【００１３】
モバイルコンピューティング装置２００は、１つまたは複数のバッテリとして実装することができる電源２７０を含む。電源２７０はさらに、ＡＣアダプタや、バッテリを補給または再充電する電源付きドッキングクレイドル（ｄｏｃｋｉｎｇ  ｃｒａｄｌｅ）などの外部電力源を含むこともできる。
【００１４】
２つのタイプの任意選択の外部通知機構、すなわち、ＬＥＤ２４０および音声インターフェース２７４を有するモバイルコンピューティング装置２００が示されている。これらの装置は、電源２７０に直接結合することができ、したがって、それらは、活動化されたとき、プロセッサ２６０および他のコンポーネントがバッテリ電力を節約するために遮断されたとしても通知機構によって指定された期間の間、オンのままでいることができる。音声インターフェース２７４は、ユーザに聴き取り可能な信号を提供し、ユーザから聴き取り可能な信号を受け取る。例えば、音声インターフェース２７４は、電話会話を可能にするなどのために、聴き取り可能な出力を提供するためのスピーカおよび聴き取り可能な入力を受け取るためのマイクロフォンに結合することができる。
【００１５】
モバイルコンピューティング装置２００はまた、無線通信を送信しかつ受信する機能を実施する無線インターフェース層２７２を含む。無線インターフェース層２７２は、モバイルコンピューティング装置２００と外部の間の無線接続を可能にする。一実施形態によると、無線インターフェース層２７２との間の伝送は、オペレーティングシステム２６４の制御下で行われる。言い換えると、無線インターフェース層２７２で受信された通信は、オペレーティングシステム２６４を介してアプリケーションプログラム２６６に送られ、その逆の場合も同様である。
【００１６】
（ピン留めされた項目）
ユーザは、自分にとって重要な連絡先および項目を「ピン留め」する。ピン留めされた連絡先および項目は、そのリストの先頭に表示され、他のピン留めされていない連絡先およびピン留めされていない項目と視覚的に区別される。連絡先または項目と共に、それが「ピン留め」されていることを示す特殊なアイコンを配置することができる。例えば、ピン留めされた項目がフォルダであるとき、そのピン留めされたフォルダはピン留めされていないフォルダの前に表示される。同様に、ファイル内のフィールドがピン留めされたとき、そのピン留めされた項目はピン留めされていない項目の前に表示される。ユーザはまた、アプリケーションをピン留めしてリストの先頭に置くことができる。例えば、ユーザは、あるアプリケーションを自分のホーム画面上でピン留めしてそれを他の利用可能なアプリケーションと区別することができる。
【００１７】
図３は、本発明の諸態様による例示的なピン留めされた連絡先を示す。項目をピン留めすると、よく通信する連絡先および項目への速やかなアクセスを提供するので、コア装置による通信の仕方が簡単になる。ピン留めされた項目を用いると、ユーザがその項目を「ピン留め」することにより項目に重要度を割り当てることができる。一実施形態によると、ユーザが装置を受け取る前に項目をピン留めしておくことができる。例えば、ＯＥＭパートナーは、その装置の「ヘルプ」用にピン留めされた連絡先を自動的に作成することができる。
【００１８】
一実施形態によると、ピン留めされた項目とピン留めされていない項目を区別し易くするために視覚的なキューが使用される。一実施形態によると、ピン留めされたアイコン（３１０）は、連絡先用リストビュー中の名前の隣に表示されている連絡先アイコンと置き換わる。ピン留めされた項目とピン留めされていない項目を区別するために他の標識（ｉｎｄｉｃａｔｏｒ）を用いることもできる。
【００１９】
図に示すように、ピン留めされた連絡先３３０は連絡先の名前を示しているが、ピン留めされた連絡先３２０は、その名前に加えて電話番号も含む。装置の機能に応じて様々なビューを表示することができる。例えば、ピン留めされた連絡先３３０は、ピン留めされた連絡先３２０と比べて、限られた表示領域を有する装置上で用いることができる。
【００２０】
図４は、本発明の諸態様による、ピン留めされた連絡先を含む連絡先リストの例示的な表示を示す。
【００２１】
図から分るように、ピン留めされた連絡先は、連絡先リスト４１５および４３０の先頭に表示されている。ユーザが作成できるピン留めされた連絡先の数に制限はないが、ピン留めされた連絡先の有用性は、ピン留めされた連絡先の数が増加するにつれて減少する。ユーザは、これらのピン留めされた連絡先よりもさらに多い数をナビゲートしなくてはならないので有用性は減少する。通常、ユーザは１画面を越えるピン留めされた連絡先を持つことはないはずである。
【００２２】
連絡先リスト４１０はピン留めされた連絡先４１５を示しており、その後にアルファベット順でピン留めされていない連絡先（４２０）がリストされている。連絡先リスト４２５は、ピン留めされた連絡先４３０の他のビューを示しており、その後にアルファベット順でピン留めされていない連絡先４３５がリストされている。図から分るように、ピン留めされた連絡先（４１５および４３０）は、その連絡先リストの先頭に置かれている。
【００２３】
図５は、本発明の諸態様による、会社の連絡先ビューを示す例示的な表示を示す。
【００２４】
ユーザが会社順に並べられた連絡先リストを見ながら特定のカテゴリを見る場合、それに応じて表示はフィルタされる。一実施形態によると、選択されたカテゴリまたはデータ源に属するピン留めされた項目だけがビュー中に表示される。あるいは、ピン留めされた連絡先のすべてを表示することもできる。図に示すように、ピン留めされた連絡先５１５は、ボーリング仲間ビュー（５１０）の下での唯一のピン留めされた連絡先である。
【００２５】
図６は、本発明の諸態様による、連絡先の例示的なカテゴリビューを示す。
【００２６】
図に示すように、連絡先リスト６００は、ピン留めされた連絡先６１０を含むボーリング仲間のためのカテゴリビューを示している。一実施形態によると、ピン留めされた連絡先６１０は、選択されたカテゴリに対してピン留めされた連絡先である。しかし、ピン留めされた連絡先６１０は、他のカテゴリからもっと多くのピン留めされた連絡先を含むことができる。
【００２７】
図７は、本発明の諸態様による、ピン留めされた連絡先の作成を示す。
【００２８】
一実施形態によると、ユーザは、自分の連絡先リスト内のピン留めする連絡先を選択し、次いでその連絡先をピン留めするためにメニューの選択肢を選択する。ピン留めしたい連絡先（７０５）をフォーカスした状態で、ユーザはメニュー中の選択肢「先頭にピン留めする（Ｐｉｎ  ｔｏ  ｔｏｐ）」（７１０）を選択する。ピン留めメニューの選択肢が選択されると、その連絡先のコピーが連絡先リストのピン留めされた連絡先セクション中に現れる。
【００２９】
最近の呼び出し（ｃａｌｌ）メニューから連絡先をピン留めするために、ユーザは、最近の呼び出し（７２０）を選択し、メニュー（７２５）中のピン留め選択肢を選択する。ユーザが、連絡先をリストの先頭へピン留めすると、その連絡先は他のピン留めされている連絡先の下の、リストの先頭にコピーされ、新しくピン留めされた連絡先にフォーカスがつけられる。連絡先は、アクセス可能であればどの場所にあってもピン留めすることができる。例えば、連絡先は、連絡先リスト、最近の呼び出しリスト、要約カードなどからピン留めすることができる。
【００３０】
連絡先の要約カードからデフォルトの通信方法を指定して連絡先リストビューおよび他のピン留めされたビューのインスタンス中で表示することができる。図８は、本発明の諸態様による、ピン留めされた連絡先の管理方法を示す例示的な連絡先リストの撮影画面を示す。
【００３１】
連絡先リスト８００は、ピン留めされた連絡先８１０を含む。ピン留めされた連絡先８１０など所望のピン留めされた連絡先にフォーカスすると、ユーザがピン留めされた連絡先を管理できるメニュー８１５が現れる。一実施形態によると、選択肢は、ピン留めの除去およびピン留めの移動を含む。
【００３２】
リストの先頭にピン留めされた項目については、メニューの「先頭にピン留めする」の選択肢が「ピン留めを除去する」になる。一実施形態によると、ピン留めされた連絡先を除去することは、ピン留めされた連絡先の除去を実施するが、ピン留めされていない連絡先を除去することはない。ピン留めされた連絡先を除去することにより、連絡先リスト内に位置する実際の連絡先を除去できるようにする選択肢を追加することもできる。ユーザが、ピン留めされていない連絡先内の、ピン留めされた連絡先に対応する連絡先を削除した場合、ピン留めされた連絡先はピン留めされたリストから自動的に除去される。
【００３３】
ユーザは、メニュー８１５から「上に移動する」を選択することにより、ピン留めされた連絡先をピン留めされた連絡先リスト中でより上位に移動することができる。ユーザは、メニュー８１５から「下に移動する」を選択することにより、ピン留めされた連絡先をピン留めされたリスト中で下に移動することができる。その連絡先がすでにリストの先頭にある場合、上に移動する選択肢はグレー化される。同様に、連絡先がすでにピン留めされた項目リストの１番下にある場合は、下に移動する選択肢がグレー化される。
【００３４】
一実施形態によると、メニュー８１５から連絡先の送信を選択すると、対応するピン留めされていない連絡先を送る。言い換えると、連絡先がピン留めされているというカテゴリ化が他の装置に送信されることはない。
【００３５】
図９は、本発明の諸態様による、ピン留めされた項目の作成を示す。開始ブロックの後、プロセスは、ブロック９１０に進み、ユーザがピン留めする項目を選択する。上記の諸実施例では連絡先のピン留めについて説明しているが、ピン留めのために選択される項目は、他の項目と区別することが可能な装置上の任意の項目でよい。例えば、ユーザは、ファイルシステム内のファイルまたはフォルダをピン留めすることができる。ユーザはまた、ファイル内のフィールドをピン留めすることもできる。例えば、ユーザはある連絡先内のモバイル電話番号をピン留めすることもできる。ユーザはまた、アプリケーションをピン留めすることもできる。他の実施例では、電子メールのメッセージがピン留めされる。ブロック９２０に進むと、その項目はピン留めされる。項目をピン留めすることにより、ユーザが容易にそのピン留めされた項目を見つけられるように、重要度が項目と関連付けられる。
【００３６】
次に、ブロック９３０で、ピン留めされた項目は、ピン留めされていない項目よりも高く優先順位付けされる。例えば、ピン留めされたフォルダは、ピン留めされていないフォルダよりも高い表示優先順位を有するはずである。同様に、連絡先内のピン留めされたフィールドは連絡先内のピン留めされていないフィールドよりも高い優先順位が付けられる。
【００３７】
ブロック９４０に進み、ピン留めされた項目が表示される。ピン留めされた項目は、他のピン留めされていない項目と視覚的に区別できるように表示される。例えば、ピン留めされたフォルダは、フォルダリストの先頭に表示され、ピン留めされているという視覚的な表示を含む。同様に、ユーザの受信箱内のピン留めされた電子メールのメッセージが電子メールリストの先頭に表示される。次いで、プロセスは終了ブロックに進み、他のアクションの処理に戻る。
【００３８】
上記の明細、実施例、およびデータは、本発明の構成の製造および使用に関する完全な説明を提供する。本発明の多くの実施形態を本発明の趣旨および範囲を逸脱することなく行うことができるので、本発明は以下に添付の特許請求の範囲にある。
【図面の簡単な説明】
【００３９】
【図１】本発明の例示的な実施形態に従って使用することができる例示的なコンピューティング装置を示す図である。
【図２】本発明の例示的な実施形態に従って使用することができる例示的なコンピューティング装置を示す図である。
【図３】例示的なピン留めされた連絡先を示す図である。
【図４】ピン留めされた連絡先を含む連絡先リストの例示的な表示を示す図である。
【図５】会社の連絡先ビューを示す例示的な表示を示す図である。
【図６】連絡先の例示的なカテゴリビューを示す図である。
【図７】ピン留めされた連絡先の作成を示す図である。
【図８】ピン留めされた連絡先の管理方法を示す例示的な連絡先リストの撮影画面を示す図である。
【図９】本発明の諸態様による、項目をピン留めするためのプロセスを示す図である。
【符号の説明】
【００４０】
１００  コンピューティング装置
１０８  基本構成
２００  モバイルコンピューティング装置
３１０  アイコン
３２０、３３０  ピン留めされた連絡先
４１０、４２５  連絡先リスト
４１５、４３０  ピン留めされた連絡先
４２０、４３５  ピン留めされていない連絡先
５１０  ボーリング仲間ビュー
５１５  ピン留めされた連絡先
６００  連絡先リスト
６１０  ピン留めされた連絡先
７０５  ピン留めしたい連絡先
７１０、７２５  メニュー
７２０  最近の呼び出し
８１０  ピン留めされた連絡先
８１５  メニュー
【図１】
2005222541.tif 000003
【図２】
2005222541.tif 000004
【図３】
2005222541.tif 000005
【図４】
2005222541.tif 000006
【図５】
2005222541.tif 000007
【図６】
2005222541.tif 000008
【図７】
2005222541.tif 000009
【図８】
2005222541.tif 000010
【図９】
2005222541.tif 000011
【外国語明細書】
2005222541000001.pdf